(57)【要約】【課題】回診先における医用画像の撮影を効率良くかつ正確に行う。【解決手段】医用画像撮影システム１００では、回診先で撮影オーダ情報を表示する携帯端末６０を複数備え、制御装置４０から特定の携帯端末６０に撮影オーダ情報を送信して表示させるとともに、一の制御装置４０から何れかの携帯端末６０に送信された撮影オーダ情報には送信済みであることを示すフラグを設定し、当該送信済みに設定された撮影オーダ情報を他の携帯端末６０に送信することを禁止する。【選択図】          図１
2004290316.tif 000002
【特許請求の範囲】
【請求項１】
患者の医用画像を撮影する移動可能な撮影装置と、
撮影オーダ情報を管理し、指示に応じて当該撮影オーダ情報を通信ネットワークを介して外部に送信する情報管理装置と、
通信ネットワークを介して前記情報管理装置から撮影オーダ情報を受信し、当該受信された撮影オーダ情報のうち、指定された撮影オーダ情報を携帯端末に送信する複数の制御装置と、
前記複数の制御装置のうち特定の制御装置に接続可能であり、当該制御装置から撮影オーダ情報を受信して表示手段に表示する複数の携帯端末と、を備え、
前記複数の制御装置のうち一の制御装置から一の携帯端末に送信された撮影オーダ情報を、他の携帯端末へ送信することを禁止することを特徴とする医用画像撮影システム。
【請求項２】
前記複数の制御装置のうち一の制御装置から何れかの携帯端末に送信された撮影オーダ情報を、他の制御装置から何れかの携帯端末に送信することを禁止することを特徴とする請求項１に記載の医用画像撮影システム。
【請求項３】
前記制御装置は、何れかの携帯端末へ送信された撮影オーダ情報を再度何れかの携帯端末へ送信するよう指示された場合、当該撮影オーダ情報は送信済みであることを警告することを特徴とする請求項１又は２に記載の医用画像撮影システム。
【発明の詳細な説明】
【０００１】
【発明の属する技術分野】
本発明は、回診先において患者の医用画像を撮影する医用画像撮影システムに関する。
【０００２】
【従来の技術】
医療の分野においては、患者を撮影した医用画像のデジタル化が実現されており、コンピュータ放射線画像撮影装置（以下、ＣＲ；Ｃｏｍｐｕｔｅｄ  Ｒａｄｉｏｇｒａｐｈｙという。）や核磁気共鳴イメージング装置（以下、ＭＲＩ；Ｍａｇｎｅｔｉｃ  Ｒｅｓｏｎａｎｃｅ  Ｉｍａｇｉｎｇという。）等によりデジタル画像データを得て通信ネットワークを介して画像管理装置や表示装置に配信する医用画像撮影システムが利用されている（例えば、特許文献１参照）。
【０００３】
なかでも、ＣＲは、支持体上に輝尽性蛍光体層を形成した蛍光体プレートを用いるもので、患者を透過した放射線を当該蛍光体プレートに吸収させた後、励起光を照射して蛍光体プレートに吸収された放射線エネルギーを励起させて蛍光として放射させ、この放射された蛍光を光電変換して画像信号を得るものである。
【０００４】
図１８を参照して、上記医用画像撮影システムについて説明する。
図１８に示すように、従来の医用画像撮影システムでは、一般的に患者が撮影室に移動して撮影が行われ、各撮影室には、蛍光体プレートを内蔵して撮影と画像読み取りを行う撮影読取装置や、蛍光体プレートを収納した持ち運び可能なカセッテから画像の読み取りを行うカセッテ専用の読取装置等が固定的に設置されている。
【０００５】
また、各撮影室には、読取装置における画像の読取動作を制御する制御装置が設置され、これら制御装置は、病院内の情報を管理するシステム（以下、ＨＩＳ；Ｈｏｓｐｉｔａｌ  Ｉｎｆｏｒｍａｔｉｏｎ  Ｓｙｓｔｅｍという。）や放射線科内の情報を管理するシステム（以下、ＲＩＳ；Ｒａｄｉｏｌｏｇｙ  Ｉｎｆｏｒｍａｔｉｏｎ  Ｓｙｓｔｅｍという。）等にＬＡＮ（Ｌｏｃａｌ  Ａｒｅａ  Ｎｅｔｗｏｒｋ）等の通信ネットワークを介して接続可能に構成されている。
【０００６】
以上のように構成された医用画像撮影システムでは、まず撮影前にＨＩＳ又はＲＩＳにおいて、医師からの依頼により、撮影対象の患者氏名、性別等の患者情報や撮影部位、撮影方法等の撮影情報、その他検査情報などを含む撮影オーダ情報が発行される。発行された撮影オーダ情報はＨＩＳ、ＲＩＳから全ての制御装置に同時配信される。
【０００７】
撮影時には、制御装置のモニタに撮影オーダ情報が表示され、撮影技師は、表示された撮影オーダ情報により指定された患者や撮影部位を確認し、撮影を行う。撮影読取装置により撮影を行った場合は、撮影後すぐに画像の読み取りが自動的に行われるが、カセッテを用いて撮影を行った場合は、カセッテ専用の読取装置に撮影技師がカセッテを装着し、当該読取装置に画像の読み取りを実行させて医用画像データを得る。
【０００８】
【特許文献１】
特開２０００−１３９８８８号公報
【０００９】
【発明が解決しようとする課題】
患者が移動可能な場合は、上述したような撮影方法で撮影室にて撮影が行われるが、撮影室までの移動が困難な患者のために、移動可能な撮影装置とカセッテとを用いて、患者のベッドサイド等の回診先で撮影が行われる場合がある。この場合、撮影技師は、回診先において撮影オーダ情報を確認できないため、制御装置で保持されている撮影オーダ情報を印刷する等して回診先に持ち込まなければならず、不便であった。
【００１０】
また、従来のシステム構成では、ＨＩＳ又はＲＩＳから全ての制御装置に同一の撮影オーダ情報が重複して配信されるため、複数の撮影技師が同一の撮影オーダ情報を別々の制御装置で確認し、１人の患者の撮影に対して複数の撮影技師が同時に撮影準備を行う可能性があり、準備作業が重複して無駄が生じる。また、誤って撮影を重複して行った場合、患者が無用に被曝することとなる。
【００１１】
本発明の課題は、回診先における医用画像の撮影を効率良くかつ正確に行うことである。
【００１２】
【課題を解決するための手段】
請求項１に記載の発明は、
患者の医用画像を撮影する移動可能な撮影装置と、
撮影オーダ情報を管理し、指示に応じて当該撮影オーダ情報を通信ネットワークを介して外部に送信する情報管理装置と、
通信ネットワークを介して前記情報管理装置から撮影オーダ情報を受信し、当該受信された撮影オーダ情報のうち、指定された撮影オーダ情報を携帯端末に送信する複数の制御装置と、
前記複数の制御装置のうち特定の制御装置に接続可能であり、当該制御装置から撮影オーダ情報を受信して表示手段に表示する複数の携帯端末と、を備え、
前記複数の制御装置のうち一の制御装置から一の携帯端末に送信された撮影オーダ情報を、他の携帯端末へ送信することを禁止することを特徴としている。
【００１３】
請求項１に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率よく行うことができる。また、一の制御装置から一の携帯端末に送信された撮影オーダ情報を他の携帯端末に送信することを禁止するので、同一の撮影オーダ情報が複数の携帯端末に重複して送信されることを防止することができる。従って、同一患者に対する重複撮影を防止することができ、回診先における撮影を正確に行うことが可能となる。
【００１４】
請求項２に記載の発明は、請求項１に記載の医用画像撮影システムにおいて、
前記複数の制御装置のうち一の制御装置から何れかの携帯端末に送信された撮影オーダ情報を、他の制御装置から何れかの携帯端末に送信することを禁止することを特徴としている。
【００１５】
請求項２に記載の発明によれば、一の制御装置から何れかの携帯端末に送信された撮影オーダ情報を他の制御装置から送信することを禁止するので、同一の撮影オーダ情報が複数の携帯端末に重複して送信されることを防止することができる。従って、同一の撮影オーダ情報による重複撮影を防止することができ、回診先における撮影を正確に行うことが可能となる。
【００１６】
請求項３に記載の発明は、請求項１又は２に記載の医用画像撮影システムにおいて、
前記制御装置は、何れかの携帯端末へ送信された撮影オーダ情報を再度何れかの携帯端末へ送信するよう指示された場合、当該撮影オーダ情報は送信済みであることを警告することを特徴としている。
【００１７】
請求項３に記載の発明によれば、何れかの携帯端末へ送信済みであることを警告するので、既に送信済みであることを撮影技師に注意喚起することができる。
【００１８】
【発明の実施の形態】
以下、図を参照して本発明の実施の形態を詳細に説明する。
本実施の形態では、医用画像撮影システムに回診先で撮影オーダ情報を表示する携帯端末を複数備え、制御装置から特定の携帯端末に撮影オーダ情報を送信して表示させるとともに、一の制御装置から何れかの携帯端末に送信された撮影オーダ情報には送信済みであることを示すフラグを設定し、当該送信済みに設定された撮影オーダ情報を他の携帯端末に送信することを禁止する例を説明する。
【００１９】
まず、構成を説明する。
図１に、本実施の形態における医用画像撮影システム１００のシステム構成を示す。
図１に示すように、医用画像撮影システム１００は、移動型撮影装置１０、カセッテ専用の読取装置２０、情報管理装置３０、制御装置４０、携帯端末６０を備えて構成され、読取装置２０、情報管理装置３０及び制御装置４０は通信ネットワークＮを介して接続されている。また、携帯端末６０は通信端末６０ａを介して特定の制御装置４０と情報の送受信が可能に接続されている。なお、制御装置４０、携帯端末６０の設置個数は、一又は複数であってもよく特に限定しない。
【００２０】
移動型撮影装置１０は、放射線発生源を備えた移動可能な撮影装置であり、回診先で患者を撮影し（以下、ポータブル撮影するという。）、当該撮影された医用画像をカセッテｃに記録する。カセッテｃは、蛍光体プレートを内蔵して移動型撮影装置１０により撮影された医用画像を記録するものである。カセッテｃの表面には、当該カセッテｃを他のカセッテｃと識別するための識別情報（以下、カセッテＩＤという。）がバーコード化されて設けられている。
【００２１】
読取装置２０は、制御装置４０の指示に従ってカセッテｃに記録されている医用画像の読み取りを行うものであり、カセッテｃから読み取られた医用画像及びそのカセッテｃのカセッテＩＤを制御装置４０に送信する。
【００２２】
情報管理装置３０は、医師からの依頼を受け付けて撮影オーダ情報を発行し、当該発行された撮影オーダ情報に、その撮影オーダ情報を他の撮影オーダ情報と識別するための識別情報（以下、オーダＩＤという。）を付して管理するものである。情報管理装置３０としては、撮影オーダ情報の発行受付を行う受付端末や、ＨＩＳ、ＲＩＳ等の情報管理システムであってもよい。
【００２３】
情報管理装置３０は、発行された撮影オーダ情報を各制御装置４０に同時送信するとともに、各制御装置４０から送信された医用画像及び撮影オーダ情報を対応付けて記憶し、画像管理を行う。
【００２４】
また、情報管理装置３０は、各制御装置４０における撮影オーダ情報の携帯端末６０への送信状況を管理する。すなわち、制御装置４０から携帯端末６０へ送信済みの撮影オーダ情報のオーダＩＤを各制御装置４０から受信して、撮影オーダ情報が送信済みか否かの送信状況を管理し、各制御装置４０から撮影オーダ情報の送信状況の問い合わせを受けると送信済みの撮影オーダ情報のオーダＩＤを制御装置４０に送信する。
【００２５】
制御装置４０は、読取装置２０における医用画像の読取動作を制御するものであり、当該読み取られた医用画像を読取装置２０から受信して撮影オーダ情報と医用画像との対応付け（以下、画像登録という。）を行う。
【００２６】
図２に、制御装置４０の機能的構成を示す。
図２に示すように、制御装置４０は、制御部４１、入力部４２、表示部４３、通信部４４、ＲＡＭ（Ｒａｎｄｏｍ  Ａｃｃｅｓｓ  Ｍｅｍｏｒｙ）４５、記憶部４６、Ｉ／Ｆ（ＩｎｔｅｒＦａｃｅ）４７を備えて構成される。
【００２７】
制御部４１は、ＣＰＵ（Ｃｅｎｔｒａｌ  Ｐｒｏｃｅｓｓｉｎｇ  Ｕｎｉｔ）等により構成され、記憶部４６に格納されるシステムプログラムの他、本発明に係る撮影準備処理プログラム（図６参照）、新規登録処理プログラム（図９参照）、オーダ送信処理プログラム（図１２参照）、画像登録処理プログラム（図１６参照）等をＲＡＭ４５に展開して、当該プログラムとの協働により処理動作を統括的に制御する。
【００２８】
入力部４２は、患者情報や撮影情報を入力するための数字キー、文字キー、各種機能キー等を含むキーボードや表示部４３と一体型に構成されるタッチパネルにより構成され、操作されたキーに対応する操作信号を制御部４１に出力する。
【００２９】
表示部４３は、ＬＣＤ（Ｌｉｑｕｉｄ  Ｃｒｙｓｔａｌ  Ｄｉｓｐｌａｙ）等により構成され、各種操作画面や、制御部４１による処理結果等の各種表示情報を表示する。また、オーダ送信処理では、撮影オーダ情報の重複送信を警告するメッセージを表示する。
【００３０】
通信部４４は、ネットワークインターフェース、モデム等により構成され、通信ネットワークＮ上の外部機器と情報の送受信を行う。例えば、情報管理装置３０から撮影オーダ情報を受信する。
【００３１】
ＲＡＭ４５は、制御部４１によって実行される各種プログラム及びこれらプログラムに係るデータを一時的に記憶するワークエリアを形成する。
【００３２】
記憶部４６は、磁気的又は光学的記憶媒体、若しくは半導体メモリで構成され、システムプログラムの他、撮影準備処理プログラム、新規登録処理プログラム、オーダ送信処理プログラム、画像登録処理プログラム及び各プログラムで処理されたデータ等を記憶する。
【００３３】
記憶部４６は、画像データベース（図示せず）を備えて読取装置２０から受信された医用画像データを格納する。また、情報管理装置３０から受信された撮影オーダ情報を更新可能に格納する撮影オーダ情報ファイル４６１（図３参照）、撮影オーダ情報と撮影された医用画像との対応関係を記憶するための登録情報ファイル４６２（図４参照）を備えている。
【００３４】
撮影オーダ情報ファイル４６１には、図３に示すように、オーダＩＤ順に撮影オーダ情報が格納される。撮影オーダ情報には、撮影対象の患者のＩＤ、患者氏名等の患者に関する情報（以下、患者情報という。）、撮影条件、撮影日等の撮影に関する情報（以下、撮影情報という。）等が含まれている。また、各撮影オーダ情報には、撮影オーダ情報が携帯端末６０に送信されたか否かを示す送信済みフラグと、撮影済みか否かを示す撮影済みフラグが設定される。携帯端末６０に送信された撮影オーダ情報には、送信済みフラグがＯＮに設定され、未送信の撮影オーダ情報には、送信済みフラグがＯＦＦに設定される。また、撮影済みの撮影オーダ情報には、撮影済みフラグがＯＮに設定され、未撮影の撮影オーダ情報には撮影済みフラグがＯＦＦに設定される。
【００３５】
登録情報ファイル４６２には、図４に示すように、撮影オーダ情報を示すオーダＩＤと、その撮影オーダ情報の撮影に用いられたカセッテｃのカセッテＩＤと、そのカセッテｃから読み取られた医用画像のファイル名とが対応付けて格納される。
【００３６】
Ｉ／Ｆ４７は、制御装置４０と通信端末６０ａとを接続するためのインターフェイスであり、携帯端末６０が通信端末６０ａに装着されると、検出信号を制御部４１に出力する。Ｉ／Ｆ４７は、通信端末６０ａを介して携帯端末６０に撮影オーダ情報を送信し、当該送信された撮影オーダ情報に対するカセッテ登録情報を携帯端末６０から受信する。
【００３７】
次に、携帯端末６０について説明する。
携帯端末６０は、通信端末６０ａを介して特定の制御装置４０に接続可能な携帯型情報処理装置であり、制御装置４０からポータブル撮影における撮影オーダ情報を受信して表示するものである。また、携帯端末６０は、撮影オーダ情報とその撮影に用いられるカセッテｃとの対応付け（以下、カセッテ登録という。）を行い、その対応関係を示すカセッテ登録情報を制御装置４０に送信する。
【００３８】
通信端末６０ａは、ケーブル等を介して特定の制御装置４０に接続され、通信端末６０ａに装着された携帯端末６０と制御装置４０との間で情報の送受信を制御する。また、通信端末６０ａは、携帯端末６０が装着されると、制御装置４０に検出信号を送信するとともに装着された携帯端末６０の充電を行う。
【００３９】
図５に、携帯端末６０の機能的構成を示す。
図５に示すように、携帯端末６０は、制御部６１、入力部６２、表示部６３、Ｉ／Ｆ６４、ＲＡＭ６５、記憶部６６、バーコードリーダ６７を備えて構成される。
【００４０】
制御部６１は、ＣＰＵ等により構成され、記憶部６６に格納されるシステムプログラムの他、本発明に係るカセッテ登録処理プログラム（図１４参照）等をＲＡＭ６５に展開して、当該プログラムとの協働により処理動作を統括的に制御する。
【００４１】
入力部６２は、数字キー、文字キー、各種機能キー等を含むキーボードや表示部６３と一体型に構成されるタッチパネル、ジョグダイアル等から構成される。
【００４２】
表示部６３は、ＬＣＤ等により構成され、各種操作画面や入力部６２からの入力情報、制御部６１による処理結果等の各種表示情報を表示する。
【００４３】
Ｉ／Ｆ６４は、携帯端末６０と通信端末６０ａとを接続するためのインターフェイスであり、携帯端末６０が通信端末６０ａに装着されると、検出信号を制御部６１に出力する。また、Ｉ／Ｆ６４は、通信端末６０ａを介して制御装置４０から撮影オーダ情報を受信し、当該受信された撮影オーダ情報に対するカセッテ登録情報を制御装置４０に送信する。なお、Ｉ／Ｆ６４は、必要に応じてＰＨＳ等の携帯電話端末を接続し、無線通信を確立してデータの送受信を行う構成であってもよい。
【００４４】
ＲＡＭ６５は、制御部６１によって実行される各種プログラム及びこれらプログラムに係るデータを一時駅に記憶するワークエリアを形成する。
【００４５】
記憶部６６は、磁気的又は光学的記憶媒体、若しくは半導体メモリで構成され、システムプログラムの他、カセッテ登録処理プログラム及び各プログラムで処理されたデータ等を記憶する。
【００４６】
また、記憶部６６は、制御装置４０から受信された撮影オーダ情報を更新可能に格納する撮影オーダ情報ファイル６６１（図示せず）と、撮影オーダ情報と当該撮影オーダ情報の撮影に用いられたカセッテｃとの対応関係を記憶するためのカセッテ登録情報ファイル６６２（図示せず）とを格納している。
【００４７】
撮影オーダ情報ファイル６６１のデータ構成は、上述した制御装置４０が備える撮影オーダ情報ファイル４６１から送信済みフラグの項目が削除されただけであるため、その図示及び説明は省略する。すなわち、撮影オーダ情報ファイル６６１には、オーダＩＤ順に撮影オーダ情報が複数格納されている。
【００４８】
カセッテ登録情報ファイル６６２のデータ構成は、上述した制御装置４０が備える登録情報ファイル４６２から医用画像ファイル名の項目を削除しただけであるので、その図示及び説明を省略する。すなわち、カセッテ登録情報ファイル６６２には、撮影オーダ情報を示すオーダＩＤと、その撮影オーダ情報の撮影に用いられたカセッテＩＤとが対応付けて格納されている。
【００４９】
バーコードリーダ６７は、光学的な読取機構のスキャナを有し、カセッテｃの表面からカセッテＩＤのバーコードを読み取り、所定の規格に従ってデコードすることによりバーコードが示すカセッテＩＤを取得する。なお、患者のベッドサイド又は患者の身体の一部に、患者ＩＤをバーコード化して付帯し、当該付帯されたバーコードをバーコードリーダ６７により読み取って患者ＩＤを取得することも可能である。
【００５０】
次に、本実施の形態における動作を説明する。
最初に、図６を参照して、制御装置４０により実行される撮影準備処理を説明する。この撮影準備処理は、回診先においてポータブル撮影する際に、ポータブル撮影の撮影オーダ情報を携帯端末６０に送信する処理である。
【００５１】
図６に示す撮影準備処理では、まずステップＳ１において、撮影室に固定されている撮影読取装置により撮影を行う通常撮影と、回診先でカセッテｃを用いて移動型撮影装置１０により撮影を行うポータブル撮影とのうち、どちらの運用形態で撮影を行うのかを選択するようガイダンスが行われ、撮影技師によりどちらの運用形態が選択されたかが判別される。通常撮影が選択された場合は（ステップＳ１；Ｎ）、通常撮影用のメニュー画面４３１ａ（図７（ａ）参照）が表示部４３に表示され（ステップＳ２）、通常撮影に応じた処理へ移行する。
【００５２】
一方、ポータブル撮影が選択された場合は（ステップＳ１；Ｙ）、ポータブル撮影用のメニュー画面４３１ｂ（図７（ｂ）参照）が表示される（ステップＳ３）。図７（ｂ）に示すように、メニュー画面４３１ｂでは、撮影技師を選択する“技師選択”メニューａ１や、撮影の準備処理に移行する“運用形態”メニューキーａ２等の各種メニューを選択するためのメニューキーが表示される。撮影の準備を行う場合、撮影技師は“運用形態”メニューキーａ２を押下する。
【００５３】
メニュー画面４３１ｂにおいて、“運用形態”メニューキーａ２が押下されると、情報管理装置３０にポータブル撮影用の撮影オーダ情報を要求する要求情報が生成され、当該要求情報が情報管理装置３０に通信部４４により送信される。そして、情報管理装置３０において未撮影のポータブル撮影用の撮影オーダ情報が有る場合には当該撮影オーダ情報が情報管理装置３０から取得される（ステップＳ４）。取得された撮影オーダ情報は、撮影オーダ情報ファイル４６１に格納される。
【００５４】
次いで、ステップＳ５では、取得された撮影オーダ情報に基づいて、撮影対象の患者がリスト表示された患者リスト画面が表示される。このとき、情報管理装置３０から撮影オーダ情報が取得されている場合は、図８に示すように、撮影対象の患者名、患者ＩＤ等が表示領域ｂ１にリスト表示された患者リスト画面４３２が表示されるが、情報管理装置３０から撮影オーダ情報が取得されていない場合は、患者リスト画面４３２の表示領域ｂ１における患者リストが非表示となって画面表示される。
【００５５】
図８に示すように、患者リスト画面４３２では、表示領域ｂ１に撮影対象の患者ＩＤ、患者氏名、性別、撮影部位、撮影数等が患者毎に表示され、撮影技師が指定されている場合は、画面上部左側に指定された撮影技師名が表示される。また、画面下部には撮影オーダ情報の新規登録又は表示中の患者のうち、患者名等により撮影オーダ情報を検索するための新規／検索キーｂ２が設けられ、画面右側には撮影オーダ情報の送信を指示するための送信キーｂ３、撮影オーダ情報に対するカセッテ登録情報を携帯端末６０から受信するよう指示するための受信キーｂ４が設けられている。撮影技師は、撮影オーダ情報を新規に登録したい場合は新規／検索キーｂ２を押下し、携帯端末６０に撮影オーダ情報を送信したい場合はリスト表示された患者のうち、撮影オーダ情報を送信したい患者を選択し、携帯端末６０を通信端末６０ａに装着後、患者リスト画面４３２において送信キーｂ３を押下する。
【００５６】
次いで、ステップＳ６では、新規／検索キーｂ２により撮影オーダ情報の新規登録が指示されたか否かが判別される。撮影オーダ情報の新規登録が指示された場合（ステップＳ６；Ｙ）、ステップＳ７の新規登録処理に移行し、撮影オーダ情報の新規登録が指示されていない場合（ステップＳ６；Ｎ）、ステップＳ８の処理に移行する。
【００５７】
まず、新規登録が指示された場合について説明する。
図９を参照して、ステップＳ７の新規登録処理を説明する。
図９に示す新規登録処理では、まずステップＳ７１において、患者情報を入力するための入力画面４３３（図１０参照）が表示される。図１０に示すように、入力画面４３３では、患者ＩＤ、患者氏名（ローマ字、カナ、漢字）、性別、生年月日等の各種患者情報を入力するための入力領域ｃ１とともに、文字入力のための文字キーｃ２が表示される。
【００５８】
次いで、ステップＳ７２において、撮影技師により、文字キーｃ２を用いて各入力領域ｃ１に患者情報が入力されると、ステップＳ７３では、撮影条件を設定するための撮影条件の選択画面４３４（図１１参照）が表示される。図１１に示すように、選択画面４３４では、撮影部位及び撮影方向を選択するための撮影条件キー群ｄ１が表示される。この撮影条件キー群ｄ１は通常撮影で撮影可能な撮影部位及び撮影方向を選択するためのキーであり、これら撮影条件キーｄ１のうち、ポータブル撮影において撮影不可能な撮影部位及び撮影方向の撮影条件キーｄ２は選択できないことを示すために網掛け表示される。なお、本実施の形態では、選択不可能な撮影条件キーｄ２を網掛け表示した例を示したが、これに限らず、撮影条件キーｄ２を非表示にしてもよいし、網掛けをせずに選択可能な撮影条件キーｄ１と同一の表示形態で表示しておき、選択不可能な撮影条件キーｄ２が撮影技師により誤って選択された場合に選択できない旨を警告することとしてもよい。
【００５９】
次いで、ステップＳ７４において、撮影技師により撮影条件キーｄ１を用いて撮影条件が選択されると、ステップＳ７５では、入力された患者情報及び選択された撮影条件に新規のオーダＩＤが発行され、撮影オーダ情報ファイル６６１に新規登録される。次いで、ステップＳ７６では、新規登録された撮影オーダ情報を加えて患者リスト画面４３２が再表示され、次の処理、つまり図６のステップＳ６の処理に戻る。
【００６０】
次に、ステップＳ６において撮影オーダ情報の新規登録が指示されなかった場合について説明する。
ステップ８では、患者リスト画面４３２においてリスト表示された患者のうち、携帯端末６０に撮影オーダ情報を送信する患者が選択されたか否かが判別される。撮影オーダ情報を送信する患者が選択された場合（ステップＳ８；Ｙ）、ステップＳ９のオーダ送信処理に移行し、撮影オーダ情報を送信する患者が選択されない場合は（ステップＳ８；Ｎ）、ステップＳ６に戻る。
【００６１】
図１２を参照して、ステップＳ９のオーダ送信処理を説明する。
図１２に示すオーダ送信処理では、ステップＳ９１において、選択された患者の撮影オーダ情報は既に何れかの携帯端末６０に送信された撮影オーダ情報であるか否かが、撮影オーダ情報ファイル４６１において送信済みフラグがＯＮに設定されているか否かにより判別される。
【００６２】
選択された患者の撮影オーダ情報の送信済みフラグがＯＮに設定されており、携帯端末６０に送信済みであると判別された場合（ステップＳ９１；Ｙ）、既に何れかの携帯端末６０に送信しており、重複して送信はできないことを警告するメッセージが表示部４３に表示される又は警告音が出力される（ステップＳ９２）。警告後、図６のステップＳ８の処理に移行する。
【００６３】
一方、選択された患者の撮影オーダ情報の送信済みフラグがＯＦＦに設定されており、何れの携帯端末６０にも未送信であると判別された場合（ステップＳ９１；Ｎ）、選択された患者の撮影オーダ情報のオーダＩＤが情報管理装置３０に送信され、当該撮影オーダ情報は他の制御装置４０により何れかの携帯端末６０に送信されたか否かを問い合わせる問い合わせ情報が情報管理装置３０に送信される。そして、情報管理装置３０から受信された応答情報に基づいて、選択された患者の撮影オーダ情報は他の制御装置４０により何れかの携帯端末６０に送信済みであるか否かが判別される（ステップＳ９３）。
【００６４】
選択された患者の撮影オーダ情報は他の制御装置４０により何れかの携帯端末６０に送信済みであると判別された場合（ステップＳ９３；Ｙ）、撮影オーダ情報ファイル４６１において、選択された患者の撮影オーダ情報の送信済みフラグがＯＮに設定され（ステップＳ９４）、ステップＳ９２に移行して当該撮影オーダ情報は既に何れかの携帯端末６０に送信しており、重複して送信はできないことが警告される。警告後は図６のステップＳ８に移行する。
【００６５】
一方、選択された撮影オーダ情報は未送信である場合（ステップＳ９３；Ｎ）、送信キーｂ３による送信指示の入力が待機され、ステップＳ９５において、送信指示が入力されたか否かが判別される。送信指示が入力されると（ステップＳ９５；Ｙ）、通信端末６０ａから入力される携帯端末６０の検出信号に基づいて、通信端末６０ａに携帯端末６０が装着されているか否かが判別される（ステップＳ９６）。
【００６６】
検出信号が出力されておらず、通信端末６０ａに携帯端末６０が装着されていないと判別された場合（ステップＳ９６；Ｎ）、携帯端末６０の装着が待機され、検出信号が出力され、通信端末６０ａに携帯端末６０が装着されていると判別された場合（ステップＳ９６；Ｙ）、装着された携帯端末６０に選択された患者の撮影オーダ情報が通信部４４により送信される（ステップＳ９７）。送信終了後、ステップＳ９８では、撮影オーダ情報ファイル４６１において、携帯端末６０に送信された撮影オーダ情報の送信済みフラグがＯＮに設定される。
【００６７】
次いで、ステップＳ９９では、送信済みフラグがＯＮに設定された撮影オーダ情報のオーダＩＤが情報管理装置３０に送信され、当該撮影オーダ情報は送信済みであることが通知される。情報管理装置３０では、制御装置３０から送信されたオーダＩＤの撮影オーダ情報は送信済みの撮影オーダ情報であるとして管理される。
【００６８】
次いで、ステップＳ１００では、撮影オーダ情報の送信完了を確認するための確認画面４３５（図１３（ａ）参照）が表示部４３に表示され、本処理を終了する。図１３（ａ）に示すように、確認画面４３５では、リスト表示された患者毎に送受信状況ｂ５が設けられ、リスト表示された患者のうち、携帯端末６０に撮影オーダ情報が送信された患者の送受信状況ｂ５には、図１３（ｂ）に示すように送信済みを示すマーク「→」が表示される。一方、携帯端末６０からカセッテ登録情報が受信された場合、その患者の送受信状況ｂ５には、図１３（ｃ）に示すように受信済みを示すマーク「←」が表示される。
【００６９】
撮影技師は、確認画面４３５において撮影オーダ情報が携帯端末６０に送信されたことを確認すると、携帯端末６０を携帯して撮影対象の患者のところへカセッテｃ、移動型撮影装置１０を持ち運び、撮影準備を行う。
【００７０】
次に、図１４を参照して、携帯端末６０により実行されるカセッテ登録処理を説明する。このカセッテ登録処理は、制御装置４０から送信された撮影オーダ情報とその撮影に用いるカセッテｃとを対応付ける処理である。
図１４に示すカセッテ登録処理では、制御装置４０からの撮影オーダ情報の受信が待機され、ステップＰ１において、撮影オーダ情報が受信されたか否かが判別される。
【００７１】
制御装置４０から撮影オーダ情報が受信された場合（ステップＰ１；Ｙ）、受信された撮影オーダ情報が撮影オーダ情報ファイル６６１に格納され（ステップＰ２）、当該格納された撮影オーダ情報に基づいて、ステップＰ３では、患者リスト画面６３１（図１５（ａ）参照）が表示部６３に表示される。図１５（ａ）に示すように、表示領域ｅ１に撮影対象の患者ＩＤ、患者氏名等がリスト表示される。なお、画面をスクロールすることにより表示領域に表示しきれなかった撮影オーダ情報が表示されることとする。撮影技師は、撮影対象の患者のベッドサイドで携帯端末６０に表示された患者リスト画面６３１を確認し、リスト表示された患者の中から撮影対象の患者を選択入力する。
【００７２】
患者リスト画面６３１においてリスト表示された患者のうち、撮影対象の患者が撮影技師により選択されると、ステップＰ４では、オーダリスト画面６３２（図１５（ｂ）参照）が表示され、選択された患者の患者情報ｅ２とともに撮影条件ｅ３がリスト表示される。
【００７３】
撮影技師は、オーダリスト画面６３２においてリスト表示された撮影条件ｅ３のうち、カセッテ登録したい撮影オーダ情報の撮影条件ｅ３をカーソルにより指定し、撮影に用いるカセッテｃのカセッテＩＤのバーコードを携帯端末６０のバーコードリーダ６７により読み取らせる。
【００７４】
携帯端末６０では、オーダリスト画面６３２において、撮影技師により登録対象の撮影オーダ情報の撮影条件ｅ３が指定されると（ステップＰ５；Ｙ）、バーコードリーダ６７によりカセッテＩＤのバーコードが読み取られ、カセッテＩＤが取得されたか否かが判別される（ステップＰ６）。カセッテＩＤが取得されない場合は（ステップＰ６；Ｎ）、取得が待機される。
【００７５】
カセッテＩＤが取得された場合（ステップＰ６；Ｙ）、カセッテ登録情報ファイル６６２において、指定された撮影オーダ情報と取得されたカセッテＩＤとが対応付けて格納される（ステップＰ７）。登録が終了すると、図１５（ｂ）に示すように、オーダリスト画面６３２では、撮影条件ｅ３に登録されたカセッテｃのカセッテＩＤｅ４が表示され、カセッテ登録されたことが通知される。
【００７６】
撮影技師は、オーダリスト画面６３２においてカセッテ登録が終了したことを確認し、登録されたカセッテｃを用いて患者の撮影を行う。なお、回診先において複数人の患者を連続して撮影する場合には、ステップＰ２〜Ｐ７の処理が繰り返され、カセッテ登録情報が順次カセッテ登録情報ファイル６６２に格納されていくこととする。また、カセッテ登録と撮影の順序は問わず、撮影を行った後に携帯端末６０によりカセッテ登録を行うこととしてもよい。そして、撮影が終了すると、撮影技師は制御装置４０が設置されている撮影室に戻り、制御装置４０に接続されている通信端末６０ａに携帯端末６０を装着する。
【００７７】
ステップＰ８では、携帯端末６０が通信端末６０ａに装着されたか否かが判別される。携帯端末６０が通信端末６０ａに装着されない場合は（ステップＰ８；Ｎ）、携帯端末６０の装着が待機される。そして、携帯端末６０が通信端末６０ａに装着されると（ステップＰ８；Ｙ）、通信端末６０ａを介して接続される制御装置４０にカセッテ登録情報が送信され（ステップＰ９）、本処理を終了する。
【００７８】
撮影技師は、携帯端末６０を通信端末６０ａに装着してカセッテ登録情報を制御装置４０に送信した後、カセッテｃを読取装置２０に装着し、制御装置４０を操作してカセッテｃに記録された医用画像の読み取りを指示する。読取装置２０では、装着されたカセッテｃから医用画像とともにカセッテＩＤのバーコードが読み取られてカセッテＩＤが取得され、読み取られた医用画像のヘッダ領域に取得されたカセッテＩＤが書き込まれる。カセッテＩＤが書き込まれた医用画像は、制御装置４０に送信される。
【００７９】
次に、制御装置４０により実行される画像登録処理について、図１６を参照して説明する。この画像登録処理は、携帯端末６０から送信されたカセッテ登録情報に基づいて撮影オーダ情報と読取装置２０から送信された撮影画像とを対応付ける処理である。
【００８０】
図１６に示す画像登録処理では、ステップＴ１において、携帯端末６０から通信端末６０ａを介してカセッテ登録情報が受信されたか否かが判別される。カセッテ登録情報が受信されていない場合は（ステップＴ１；Ｎ）、受信が待機され、カセッテ登録情報が受信された場合は（ステップＴ１；Ｙ）、受信されたカセッテ登録情報に基づき、撮影オーダ情報ファイル４６１においてカセッテが登録された撮影オーダ情報の撮影済みフラグがＯＮに設定されるとともに、登録情報ファイル４６２において、撮影オーダ情報とその撮影に用いられたカセッテｃのカセッテＩＤとが対応付けて格納される（ステップＴ２）。
【００８１】
次いで、ステップＴ３では、制御装置４０から携帯端末６０に送信された撮影オーダ情報に対応するカセッテ登録情報が携帯端末６０から受信されたことを確認するための確認画面４３５（図１３（ａ）参照）が表示部４３に表示される。図１３（ａ）に示すように、確認画面４３５では、送受信状況ｂ５において、撮影オーダ情報に対するカセッテ登録情報は受信済みであることを示すマーク「←」が表示される。
【００８２】
次いで、ステップＴ４では、読取装置２０から読み取られた医用画像が受信されたか否かが判別される。医用画像が受信されていない場合は（ステップＴ４；Ｎ）、受信が待機され、医用画像が受信された場合（ステップＴ４；Ｙ）、受信された医用画像のヘッダ領域からカセッテＩＤが読み出され、登録情報ファイル４６２において、当該読み出されたカセッテＩＤと一致するカセッテＩＤと対応付けて医用画像のファイル名が格納される（ステップＴ５）。
【００８３】
登録が終了すると、ステップＴ６では、撮影オーダ情報とその撮影オーダ情報に従って撮影された医用画像とが対応付けて表示された画像確認画面４３７（図１７参照）が表示部４３に表示される。図１７に示すように、画像確認画面４３７では、複数患者分の医用画像ｆ２が並列して表示され、各医用画像ｆ２には、患者ＩＤ、患者氏名の患者情報ｆ１と、撮影条件及び撮影に用いたカセッテのカセッテＩＤを含む撮影情報ｆ３とが対応付けて表示される。なお、カセッテ登録が行われているがまだ医用画像が読み取られていない場合は、患者情報ｆ１、撮影情報ｆ３のみが表示され、医用画像ｆ２に画像は表示されない。撮影技師は、表示された医用画像と撮影オーダ情報との対応関係を確認し、対応していればＯＫキーｆ４を押下する。
【００８４】
画像確認画面４３７においてＯＫキーｆ４が押下されると、ステップＴ７では、ＯＫキーｆ４が押下された医用画像のデータファイルが情報管理装置３０に送信されるとともに、医用画像と撮影オーダ情報との対応関係が登録情報ファイル４６２から読み出されて画像登録情報として情報管理装置３０に送信され、本処理を終了する。
【００８５】
情報管理装置３０では、制御装置４０から医用画像及び画像登録情報を受信し、当該受信された画像登録情報に基づいて、医用画像がデータベース化されて管理される。
【００８６】
以上のように、医用画像撮影システム１００では、複数の携帯端末６０が通信ネットワークに接続され、ポータブル撮影の撮影オーダ情報が制御装置４０から携帯端末６０に送信されて表示されるので、患者のベッドサイド等、回診先で撮影する場合でも、撮影技師は、携帯する携帯端末６０により撮影オーダ情報を確認することができ、容易に撮影対象の患者や撮影条件を確認することができる。従って、回診先における医用画像の撮影を効率良くかつ正確に行うことができる。
【００８７】
また、携帯端末６０において撮影に用いるカセッテのＩＤが読み取られてカセッテ登録が行われ、このカセッテ登録情報が携帯端末６０から制御装置４０へ送信されると、制御装置４０においてカセッテ登録情報に基づき、撮影された医用画像と撮影オーダ情報との対応付けが行われるので、撮影技師が撮影オーダ情報と医用画像との対応関係を制御装置４０に入力する作業を省略することができ、撮影技師の作業負担を軽減させることができる。また、撮影技師の入力ミス等による人為的ミスを防止することができ、医用画像を正確に管理することができる。
【００８８】
また、制御装置４０から何れか一の携帯端末６０に送信された撮影オーダ情報には、その送信済みフラグがＯＮに設定され、当該送信済みフラグがＯＮに設定された撮影オーダ情報は、他の携帯端末６０への送信が禁止されるので、同一の撮影オーダ情報が複数の携帯端末に重複して送信されることを防ぐことができる。
【００８９】
さらに、情報管理装置３０では、複数の制御装置４０に同時送信された撮影オーダ情報の送信状況が管理され、一の制御装置４０により携帯端末６０に送信済みの撮影オーダ情報は、他の制御装置４０から携帯端末６０への送信が禁止されるので、同一の撮影オーダ情報が複数の携帯端末に重複して送信されることを防ぐことができる。
【００９０】
また、撮影オーダ情報の送信時に、送信済みフラグがＯＮに設定された撮影オーダ情報が携帯端末６０へ送信する撮影オーダ情報として撮影技師により指定された場合、送信済みであるため送信できない旨が警告されるので、既に送信済みであることを撮影技師に注意喚起することができ、誤って撮影オーダ情報が重複送信されることを防ぐことができる。
【００９１】
このように、撮影オーダ情報の重複送信を防止することにより、一人の患者に対し複数人の撮影技師が同時に撮影準備を行ったり、同一の撮影オーダ情報により重複撮影を行うこと防止することができ、回診先における医用画像の撮影を正確に行うことができる。
【００９２】
また、上記システム構成では、携帯端末６０は通信端末６０ａを介して特定の制御装置４０に直接接続されるので、システムメンテナンス時やシステム変更を行う場合、ある特定の制御装置４０とその制御装置４０に接続される携帯端末６０のみのメンテナンスを行えばよく、システム変更の自由度が高くシステムの再構築が容易となる。また、携帯端末６０を接続する制御装置４０を特定することにより、システムの安定化を図ることができる。
【００９３】
なお、本実施の形態における記述内容は、本発明を適用した医用画像撮影システム１００の好適な一例であり、これに限定されるものではない。
例えば、上述した説明では、制御装置４０において携帯端末６０に指定された撮影オーダ情報を送信する際に、当該撮影オーダ情報が他の制御装置により既に送信済みであるか否かを情報管理装置３０に問い合わせることとしていたが、これに限らず、情報管理装置３０が各制御装置４０からある撮影オーダ情報が送信済みであることが通知されたときに、その送信済みの撮影オーダ情報のオーダＩＤを各制御装置４０に配信し、当該撮影オーダ情報は他の制御装置により送信済みであることを通知することとしてもよい。これにより各制御装置４０ではリアルタイムに撮影オーダ情報の送信状況を把握することが可能となる。
【００９４】
その他、本実施の形態における医用画像撮影システム１００の細部構成及び細部動作に関しても、本発明の趣旨を逸脱することのない範囲で適宜変更可能である。
【００９５】
【発明の効果】
請求項１に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率よく行うことができる。また、一の制御装置から一の携帯端末に送信された撮影オーダ情報を他の携帯端末に送信することを禁止するので、同一の撮影オーダ情報が複数の携帯端末に重複して送信されることを防止することができる。従って、同一患者に対する重複撮影を防止することができ、回診先における撮影を正確に行うことが可能となる。
【００９６】
請求項２に記載の発明によれば、一の制御装置から何れかの携帯端末に送信された撮影オーダ情報を他の制御装置から送信することを禁止するので、同一の撮影オーダ情報が複数の携帯端末に重複して送信されることを防止することができる。従って、同一の撮影オーダ情報による重複撮影を防止することができ、回診先における撮影を正確に行うことが可能となる。
【００９７】
請求項３に記載の発明によれば、何れかの携帯端末へ送信済みであることを警告するので、既に送信済みであることを撮影技師に注意喚起することができる。
【図面の簡単な説明】
【図１】本発明を適用した実施の形態の医用画像撮影システム１００のシステム構成を示す図である。
【図２】制御装置４０の機能的構成を示す図である。
【図３】撮影オーダ情報ファイル４６１のデータ構成を示す図である。
【図４】登録情報ファイル４６２のデータ構成を示す図である。
【図５】携帯端末６０の機能的構成を示す図である。
【図６】制御装置４０により実行される撮影準備処理を説明するフローチャートである。
【図７】（ａ）は通常撮影が選択された場合のメニュー画面４３１ａであり、（ｂ）はポータブル撮影が選択された場合のメニュー画面４３１ｂである。
【図８】患者リスト画面４３２である。
【図９】制御装置４０により実行される新規登録処理を説明するフローチャートである。
【図１０】患者情報の入力画面４３３である。
【図１１】撮影条件の選択画面４３４である。
【図１２】制御装置４０により実行されるオーダ送信処理を説明するフローチャートである。
【図１３】（ａ）は撮影オーダ情報の送受信状況を確認するための確認画面４３５であり、（ｂ）は送信済みの場合に送受信状況ｂ５に表示されるマークを示す図であり、（ｃ）は送信された撮影オーダ情報に対してカセッテ登録情報が受信された場合に送受信状況ｂ５に表示されるマークを示す図である。
【図１４】携帯端末６０により実行されるカセッテ登録処理を説明するフローチャートである。
【図１５】（ａ）は患者リスト画面６３１であり、（ｂ）はオーダリスト画面６３２である。
【図１６】制御装置４０により実行される画像登録処理を説明するフローチャートである。
【図１７】画像確認画面４３７である。
【図１８】従来の医用画像撮影システムを示す図である。
【符号の説明】
１００    医用画像撮影システム
１０    移動型撮影装置
２０    読取装置
３０    情報管理装置
４０    制御装置
４１    制御部
４４    通信部
４６    記憶部
４６１    撮影オーダ情報ファイル
４６２    登録情報ファイル
６０    携帯端末
６０ａ    通信端末
６１    制御部
６３    表示部
６４    通信部
６６    記憶部
６６１    撮影オーダ情報ファイル
６６２    カセッテ登録情報ファイル
【図１】
2004290316.tif 000003
【図２】
2004290316.tif 000004
【図３】
2004290316.tif 000005
【図４】
2004290316.tif 000006
【図５】
2004290316.tif 000007
【図６】
2004290316.tif 000008
【図７】
2004290316.tif 000009
【図８】
2004290316.tif 000010
【図９】
2004290316.tif 000011
【図１０】
2004290316.tif 000012
【図１１】
2004290316.tif 000013
【図１２】
2004290316.tif 000014
【図１３】
2004290316.tif 000015
【図１４】
2004290316.tif 000016
【図１５】
2004290316.tif 000017
【図１６】
2004290316.tif 000018
【図１７】
2004290316.tif 000019
【図１８】
2004290316.tif 000020